(57)【要約】【課題】  外壁の仕上げを容易に行うことの出来る外壁断熱ボードを提供する。【解決手段】  本発明に係る外壁断熱ボードは、略長方形を呈する発泡樹脂板１１の片側表面に、ネジ打込用の凹部１４を左右対称で複数個設けるとともに、発泡樹脂板１１の前記表面および前記凹部１４の内面に、防水性をもったコーティング層を設ける。ネジ打込用の凹部１４を設けることにより、固定個所が容易にわかり、コーティング層を設けることにより、塗料、モルタル、外装タイルとの接着性能を高め、また外壁の断熱性を高めることにより、従来困難であった、裏面に凹凸のない平面状の外装タイルをそのまま接着配置しても、長期にわたってその剥離を防止できるようになる。【選択図】    図１
2011063982.tif 000002
【特許請求の範囲】
【請求項１】
略長方形を呈する発泡樹脂板の片側表面に、ネジ打込用の凹部を左右対称で複数個設けるとともに、
発泡樹脂板の前記表面および前記凹部の内面に、防水性をもったコーティング層を設けることを特徴とする外壁断熱ボード。
【請求項２】
コーティング層は二層構造であり、
内側層は、石油によって希釈したアスファルトを塗布乾燥させたアスファルト層であり、
外側層は、アクリル樹脂を主剤とする塗膜層であることを特徴とする請求項１記載の外壁断熱ボード。
【請求項３】
コーティング層は一層構造であり、
このコーティング層の主原料は、アクリル樹脂系の主剤と、セメント粉体を含む無機水硬性の硬化剤と、アスファルト粉体とを混合攪拌させたもので、
アスファルト粉体の配合比率を、重量比で全体重量の１０〜３０％とすることを特徴とする請求項１記載の外壁断熱ボード。
【発明の詳細な説明】
【技術分野】
【０００１】
本発明は、建築物の外壁に用いる外壁断熱ボードに関する。
【背景技術】
【０００２】
近年、木造建築物では、冷暖房効率の向上や屋内、屋外の結露を防止する等の目的から、建物の外壁に断熱材を配することが多い。
【０００３】
しかしながら、コンクリート建築物（いわゆるビルディング）では、外壁に外装材（化粧材）、とくに化粧タイルを貼着する場合が多い。コンクリート建築物における化粧材は、従来から、経年劣化による剥落が指摘されており、定期的な外装補修工事が欠かせないのが実情である。
【０００４】
従来から、建築物の外装材（外壁タイル等）の剥落を防止する提案はいくつかなされている。例えば、図４のように、裏面に凹凸を設けた特殊タイル１を使用するものがある（特許文献１）。これは、特殊タイル１の裏面の凹凸によって断熱材２との接合状態を良好にして剥落を防止するものである。３はモルタル、４は、モルタル３に打ち込んだアンカー部材、５はコンクリート躯体である。
【０００５】
外壁タイルの剥落は、外壁タイルの裏面に生じる結露が主たる原因と考えられるため、凹凸をもった特殊タイル１を断熱材２に貼着することは、剥落防止機能という点では優れた効果を発揮する。断熱材２によって家屋内外の結露を防止し、特殊タイル１の裏面凹凸によって断熱材２との嵌合状態を良好にすれば、特殊タイル１の裏面に使用する接着材（例えばモルタル等）の経年劣化も防止できるからである。
【０００６】
なお、外壁タイル等の外装材の裏面における結露を防止するだけならば、外壁に通気層を形成する提案がいくつかみられる（例えば特許文献２、３）。
【先行技術文献】
【特許文献】
【０００７】
【特許文献１】特開２００３−０２７６９８
【特許文献２】特開２００６−１６９８９２
【特許文献３】特開２００２−２９４８９３
【発明の概要】
【発明が解決しようとする課題】
【０００８】
問題は、作業効率の悪さと、外壁タイルの剥落を防止するためのコストが嵩む点にある。これは次の通りである。
【０００９】
第一に、裏面に凹凸を設けた特殊タイルは、裏面が平滑な汎用性のある外壁タイルに較べて製造コストが高額になる。また、このような特殊タイルを断熱材に貼着するには、断熱材にも凹凸を成形する必要があるため、断熱材の製造コストも嵩んでしまう。
【００１０】
第二に、裏面に凹凸をもった特殊タイルを使用したときには、外壁の開口部（窓枠開口等）や外壁の角部（コーナー部）における位置調整の問題が生じやすい。開口部や角部において、外壁タイルの凹凸が断熱材の凹凸と十分に嵌合した状態でなければ外壁タイルの剥落の危険が高まるからである。
【００１１】
裏面に凹凸をもった外壁タイルも、コストを低減するために規格品を用いるが、建物の外壁寸法は、現場によって異なる。このため、開口部や角部で綺麗な凹凸嵌合を実現させるには高度な熟練を要する。所期の目的を十分に全うする工事を行うには、熟練した技術者による施工が必要であり、それに見合う作業コストが条件となる。
【００１２】
また、寸法上の制約（おさまりの悪さ）を見越して、凹凸のある特殊タイルを綺麗に配設することは、経験の浅い者には難しいため、工期の遅れを生じさせる原因にもなるし、工期の遅れを気にするあまりに不十分な凹凸嵌合のまま、見栄えだけで外壁工事を終了させてしまう等の問題も生じやすい。
【００１３】
外壁に通気層を設ける構造（特許文献２、３）は、断熱材に外装材（化粧材）を密着させて固定することが困難であることから、角材等の下地材を介して板材を設け、その上に外装材を貼着する構造において必然的に生ずるものである。外壁の通気層は、結露防止のためとはいえ、建築物にとって必ずしも必要な構造とはいえない。
【００１４】
そこで、本発明の目的は、外壁の化粧仕上げをより容易に行うことの出来る外壁断熱ボードを提供する点にある。
【課題を解決するための手段】
【００１５】
前記目的を達成して、課題を解決するため、本発明に係る外壁断熱ボードは、略長方形を呈する発泡樹脂板の片側表面に、ネジ打込用の凹部を左右対称で複数個設けるとともに、発泡樹脂板の前記表面および前記凹部の内面に、防水性をもったコーティング層を設ける（請求項１）。
【００１６】
ネジ打込用の凹部を左右対称で複数個設けることにより、熟練しない作業者であっても、簡単に外壁断熱ボードを躯体に固定することが出来る。また、凹部を含む表面全体に防水性をもったコーティング層（塗膜層）を設けることにより、各種の接着材を介して外装材を簡単に貼着することが可能となる。
【００１７】
コーティング層は二層構造であり、内側層は、石油によって希釈したアスファルトを塗布乾燥させたアスファルト層であり、外側層は、アクリル樹脂を主剤とする塗膜層とすることがある（請求項２）。
【００１８】
内側層のアスファルト層は、発泡樹脂（例えば発泡スチロール）との接着性が非常に良く、また外側層の樹脂塗膜層との接着性も良い。このため、外側層の樹脂塗膜層の表面に接着材を介して外装材を貼着（直貼り）しても、当該外装材はきわめて剥離しにくい構造となる。裏面に結露は生じにくいので経年劣化の虞れも少ない。
【００１９】
コーティング層は一層構造であり、このコーティング層の主原料は、アクリル樹脂系の主剤と、セメント粉体を含む無機水硬性の硬化剤と、アスファルト粉体とを混合攪拌させたもので、アスファルト粉体の配合比率を、重量比で全体重量の１０〜３０％とする場合がある（請求項３）。
【００２０】
コーティング層を一層構造とすると、二層構造と比較して、コーティング層を塗布乾燥させる製造工程を簡略化できる利点がある。
【発明の効果】
【００２１】
本発明に係る外壁断熱ボードによれば、外装材を発泡樹脂板に直貼りしても、外装材の裏面の接着材との接着性を良好に保つことが出来るため、長期にわたって外装材の剥離を抑えることが出来る。外装材の裏面は平滑でよいから、施工コスト（部品コスト）も低減させることが出来る。外装材を発泡樹脂板に直貼り出来るので、外壁に通気層を設けなくても外壁の結露は防止できる。防水コーティング層は塗料やモルタル等との相性も良い。
【発明を実施するための形態】
【００２２】
図１、図２は、本発明に係る外壁断熱ボードの一実施形態を示すものである。この外壁断熱ボード１０は、平面略長方形を呈する発泡樹脂板、例えば発泡スチロール板、発泡スチレン板を用いる。以下、発泡スチロール板１１を例にとって説明すると、発泡スチロール板１１の片側表面に、ネジ打込用の凹部１４を左右対称で複数個設けるとともに、発泡スチロール板の表面および凹部１４の内面に、防水性をもったコーティング層２０を設けてなる。
【００２３】
発泡スチロール板１１は、いわゆる押出ポリスチレン (extruded polystyrene、XPS) によって製造した難燃性のもの、例えばスタイロフォーム（登録商標）等を用いることが望ましい。ビーズ法発泡スチロール (expanded polystyrene、EPS)によって製造したものであっても原材料に難燃剤を添加してあれば本発明に係る発泡スチロール板として使用することが可能である。
【００２４】
発泡スチロール板１１は、建材としての性質から、運搬性、作業性等を考慮して、寸法がある程度規格化されている。例えば、縦１８２０ｍｍ、横９１０ｍｍ、厚さ（Ｗ）５０ｍｍの寸法規格として市販されている建材用のものを使用することが出来る。
【００２５】
凹部１４は、当該箇所にネジを打ち込んで発泡スチロール板１１を躯体に固定するためのものである。このとき、凹部１４を形成することで、ネジ（コンクリートボルト等）のアタマ（頭部）が発泡スチロール板１１の表面から突出しないよう（凹凸が出来ないよう）、ネジのアタマを凹部１４の内側に納め、発泡スチロール板１１の表面を平滑（平面状）に処理できるようにした。また凹部１４が存在することによって、ネジの打ち込み位置が簡単に判るため、作業経験の少ない者でも間違いなく適当箇所に固定用のネジを必要本数打ち込むことが出来る。
【００２６】
凹部１４の形状は問わない。ネジの打ち込み箇所と、打ち込み本数を作業者に対して示唆できるものであれば良いからである。
【００２７】
好ましくは、発泡スチロール板１１の表面側開口の径寸を大きくし、内部に向かって径寸を収縮させ、底面の中心部にネジを打ち込む目印（位置決用マーク）が存在するようにしておく。ネジは脚長の比較的細い部材であるから凹部１４の内径を過度に大きく設定する必要はない。しかし、表面側開口の径寸を大きくすることによってネジの打ち込み作業が容易になる利点が生まれる。平面形状が多角形であっても良い。
【００２８】
さらに望ましい形状を具体的に云えば、凹部１４は、略円錐台形とする（図２参照）。略円錐台形状とすれば、発泡スチロール板１１の表面側開口の径寸が大きな円形であり、内部に向かって円形の差し渡し径が収縮するので、底面の中央部にネジ（コンクリートボルト等）を打ち込み易い。なお、凹部１４の形成は、高温に過熱させた金属製金型を発泡スチロール板１１の表面に押圧するだけでよい。
【００２９】
この場合、さらに望ましい形状を云えば、底面の中央部に設けるネジ打込用の目印は、凹形成した穴部とする。目印は、シール材やペイントでも構わないのであるが、凹形成した穴部Ｑを設けておけば、当該穴部Ｑにネジの先端部を差し込むことによって、打込個所の位置ズレを起こすことなくネジを躯体に打ち込むことが出来るからである。不注意による位置ズレの問題も防止できる。
【００３０】
凹部１４の大きさは、適宜設定できる。具体的には、例えば、開口部の差渡径（Ｗ１）を４０ｍｍ、底面の差渡径（Ｗ２）を３５ｍｍ、深さ（Ｗ３）を１０ｍｍ、凹形成した穴部Ｑの差渡径を１０ｍｍ、凹形成した穴部Ｑの奥行き（深さ）を１０ｍｍとする。この数値は絶対ではない。少なくとも、３０％前後の数値の上下変動（プラス数値またはマイナス数値）を見込んで設定することが望ましい。
【００３１】
凹部１４は、左右対称で上下方向に各三個または四個ずつ設けることが望ましい。上下方向の個数は、外装材の重量等を勘案して決めることが出来る。また木造建築物に適用する場合には、ネジ止め位置が柱間で適当位置に設定しやすいように、凹部１４の左右方向の離隔距離を柱間寸法に合わせて設定する。
【００３２】
コーティング層２０は、好ましくは、二層構造とする。この場合、内側層（第一層）は、石油によって希釈したアスファルトを塗布乾燥させたアスファルト層２２であり、その表面に設ける外側層（第二層）は、樹脂、とくにアクリル樹脂を主剤とする塗膜層２４である。
【００３３】
内側層に用いるアスファルト層２２、外側層に用いるアクリル樹脂を主剤とする塗膜層２４は、いずれも薄くてよい。例えば、０．５〜４ｍｍ程度の肉厚である。また、いずれの層も、例えば、ローラ塗布、エア吹き付け塗布等の手段によって設けることが出来る。
【００３４】
アスファルト層２２は、発泡スチロール板１１との密着性を高める役割を果たす。このアスファルト層２２の表面に、アクリル樹脂を主剤とする塗膜層２４を設けると、アスファルト層２２とアクリル樹脂を主剤とする塗膜層２４との密着性が非常によいことから、結果として、塗膜層２４の外側に貼着する外装材（外壁タイル等）の貼着性能を高く保証することが出来る。
【００３５】
アスファルト層２２に用いる原材料のアスファルトは、粘性が高いため、一般的な入手時の状態では発泡スチロール板１１に塗布するには適さないことが多い。そこで、本発明では、粘性の高い原料アスファルトを石油によって希釈して塗布する。アスファルトは石油によって粘性を低下させることが出来るからである。
【００３６】
石油を用いればアスファルトを適宜濃度に希釈できるが、製造コストとの関係で云えば、石油のうち一般入手が比較的容易で価格が低い種類のものを使用することが望ましい。このような条件を満たす石油（液体）としては、例えば灯油が挙げられる。灯油は入手しやすく価格も手ごろであり、アスファルトの粘性を適当濃度に調整する希釈液として優れている。原料アスファルトは、塗布ローラを用いた塗布作業が容易な程度にその粘性を低下させて用いれば良い。
【００３７】
アクリル樹脂を主剤とする塗膜層２４は、外壁等の建築物に適用する各種の防水塗膜材が市販されているので、それらを使用することが出来る。本発明に用いる防水塗膜材は、防水性能が保証されればよいから、コストが安く一般入手容易なものを使用する。例えば、株式会社イーテックによって市販されている、商標名ＡＥコートＡ（アクリル主剤）および商標名ＡＥコートＢ（無機水硬性粉体）を組み合わせた、アクリル樹脂系の防水塗膜材を用いることが出来る。アクリル樹脂系の防水材は多くの製品があるので、防水機能が保証される限り当該製品の製造メーカや販売メーカを問わずに使用出来る。
【００３８】
従って、この実施形態に係る外壁断熱ボード１０によれば、石油（灯油等）によって希釈したアスファルト層２２を内側層として備え、外側層にアクリル樹脂を主剤とする塗膜層２４を備えるので、塗膜層２４の表面に貼着する外装材の接着強度を非常に高く保証することが可能となる。アスファルト層２２は、発泡スチロール板１１との密着性に優れ、またアクリル樹脂を主剤とする塗膜層２４との接着相性も良好だからである。
【００３９】
アスファルト層２２は、原料アスファルトを石油（灯油等）によって希釈してからローラや刷毛塗りするだけで良いため、小規模生産の場合でも、製造コストを安価に抑えることが出来る。
【００４０】
また外壁断熱ボード１０には、ネジ打込用の凹部１４を左右対称で複数個設けてあるので、熟練しない作業員であっても、簡単に外壁断熱ボードを躯体に固定することが出来る。
【００４１】
本発明に係る外壁断熱ボード１０は、前記実施形態のものに限定されない。
【００４２】
例えば、防水性をもったコーティング層（図示せず）は一層構造とすることが出来る。
【００４３】
この場合、コーティング層の主原料は、アクリル樹脂系の主剤と、セメント粉体を含む無機水硬性の硬化剤と、アスファルト粉体とを混合攪拌させたもので、アスファルト粉体の配合比率を、重量比で全体重量の１０〜３０％とする。
【００４４】
このような一層のコーティング層は、前記実施形態におけるアスファルト層２２を設ける代わりに、通常使用される樹脂系防水塗膜材（アクリル樹脂系の主剤とセメント粉体を含む無機水硬性の硬化剤の混合物）に、アスファルト粉体を混合させたものを発泡スチロール板１１の表面に塗布して乾燥形成するものである。
【００４５】
コーティング層を一層構造とすることにより、二重構造とした場合に設ける内側層（アスファルト層２２）の塗布／乾燥処理を省略することが出来るため、大量生産に適している。
【００４６】
しかしながら、樹脂系防水塗膜材に混合させるアスファルト粉体を得るための別の作業工程が必要となるため、小規模生産の場合は、かえって割高になる可能性がある。アスファルト粉体は、原料アスファルトを希釈することなく、そのまま冷凍させて粉砕することによって得ることが出来、処理自体の作業工程は単純であるし容易であるが、冷凍させる処理時間や、粉砕処理に要する時間とコストを勘案すると、ある程度の生産個数が定期的に見込めなければ、アスファルト粉体を用いた一層構造のコーティング層を実施することは経済的に難しい。
【００４７】
ただし、樹脂系防水塗膜材にアスファルト粉体を混合させた一層構造でも、アスファルトと発泡スチロール板１１との密着強度を確保することは出来る。従って、生産個数が多い場合は、防水性のあるコーティング層を一層構造とした方が経済的に有利なケースがある。一層構造でも機能上（外装材の接着強度）の問題はない。
【００４８】
一層構造とする場合、樹脂系防水塗膜材に対するアスファルト粉体の配合比率は、重量比で全体重量の１０〜３０％とする。この程度のアスファルト粉体の配合量があれば、発泡スチロール板１１の表面にアスファルト粉体が少なからず存在して、発泡スチロール板１１とアスファルト粉体の密着良好性を担保することが出来るからである。
【００４９】
本発明に係る外壁断熱ボード１０に設ける凹部１４の平面形状は、円形に限らず四角形等の多角形でもかまわない。
【００５０】
防水性をもったコーティング層は、発泡スチロール板１１の片側表面（凹部１４を設ける側；配設時に表面となる側）の全体に設ける。外装材の接着を良好にするためである。裏面にはコーティング層を設ける必要はない。上下左右の側面にはコーティング層を設ける必要はないが、製品としての見栄からすれば、上下左右の側面にもコーティング層を設けることが望ましい。また、そうする方が防水性も高く維持できる。
【００５１】
図３に示すように、外壁断熱ボード１０を外壁に取り付ける場合には、上下左右に隙間（２２）を設けて配設することが望ましい。外壁断熱ボード１０の配設固定には、例えばネジ（後述するコンクリートビスまたは金属ネジ等）を使用することが出来る。外壁断熱ボード１０を固定した後、外壁断熱ボード１０の上下左右の隙間（３２）には、断熱性のある樹脂材、例えば常温硬化性のウレタン樹脂材３２を充填（注入）して隙間を埋める。ウレタン樹脂材３２の外側表面と外壁断熱ボード１０の外側表面は、略平面（いわゆる面一；ツライチ）としておくことが望ましい。
【００５２】
外壁断熱ボード１０の固定に際しては、コンクリートまたはモルタル面に有効な接着材を用いる（固定金具と併用する）ことが望ましい。コンクリートまたはモルタル面に有効な接着材としては、例えば、再生ゴム系溶剤形接着材、商標名「ボンドＧ２００２」（登録商標；コニシ株式会社）を使用することが出来る。なお、ビルディングの外壁リフォームの場合は、古いタイルの損傷個所を補修してから外壁断熱ボード１０を貼ることが出来る。古いタイルを剥がしてから外壁断熱ボード１０を貼ってもよい。
【００５３】
躯体外壁に固定金具を打ち込んだ後は、凹部１４にウレタン樹脂材を充填（発泡ウレタンの注入等）して凹部１４の空隙を埋める。凹部１４に充填するウレタン樹脂材の露出表面と外壁断熱ボード１０の表面は、いわゆる面一としておくことが望ましい。隙間（３２）および凹部１４に充填したウレタン樹脂材の硬化後に、それらの表面にも防水塗膜材を塗布して硬化させれば、外壁下地の表面全体が、接着性に優れる防水塗膜樹脂によって覆われる。塗料との相性もよい。
【００５４】
このようにして、外壁断熱ボード１０を躯体外壁に配設すれば、その外側に裏面に凹凸をもたない通常の外壁タイルを簡単に貼着することが出来る。また、外壁下地材（断熱ボード１０等）の表面にそのまま塗装材を塗布して、最終的な外壁の化粧仕上げを行うことも出来る。
【００５５】
発泡樹脂板としては、発泡スチロール板に限らず、発泡スチレン板であっても良いことは勿論である。
【図面の簡単な説明】
【００５６】
【図１】実施形態に係る外壁断熱ボードを正面から例示する図である。
【図２】実施形態に係る外壁断熱ボードの凹部を例示する部分断面図である。
【図３】実施形態に係る外壁断熱ボードの配設例を示す図である。
【図４】従来の外壁断熱材を例示する図である。
【符号の説明】
【００５７】
１０  外壁断熱ボード
１１  発泡スチロール板
１４  凹部
２０  コーティング層
２２  アスファルト層（コーティング層）
２４  塗膜層（コーティング層）
Ｑ  穴部
【図１】
2011063982.tif 000003
【図２】
2011063982.tif 000004
【図３】
2011063982.tif 000005
【図４】
2011063982.tif 000006